(57)【要約】【課題】使用者がしゃがみ込んでいる状態を検出した場合にグリル庫内の照明を自動的に点灯させることができる加熱調理器を提供する。【解決手段】制御手段１３は、上検出情報が所定時間Ｌｏ信号の出力状態であり、かつ、下検出情報が所定時間Ｈｉ信号の出力状態であると判定した場合、使用者がしゃがみ込んだ状態でグリル庫１２１内をグリル窓１２０ａを介してのぞき込んでいるものと判定し、グリル庫１２１内の庫内照明装置１２４を点灯させる。【選択図】図４
2011196641.tif 000002
【特許請求の範囲】
【請求項１】
本体と、
該本体の内部において調理物の加熱調理が実施されるグリル部と、
該グリル部内に設置された庫内照明装置と、
加熱調理器全体の制御を実施する制御手段と、
検出方向における人の存在の有無を検出し、その検出情報を前記制御手段に送信する第１人感センサー及び第２人感センサーと、
を備え、
前記制御手段は、
前記第１人感センサー及び前記第２人感センサーから受信した前記検出情報に基づいて、使用者が前記本体の手前側でしゃがんでいる状態か否かを判定し、
該使用者が前記本体の手前側でしゃがんでいる状態であると判定した場合、前記庫内照明装置を点灯させる
ことを特徴とする加熱調理器。
【請求項２】
前記制御手段は、前記第１人感センサー及び前記第２人感センサーから受信した前記検出情報に基づいて、前記本体の手前側でしゃがんでいる状態の前記使用者が検出されないと判定した場合、前記庫内照明装置を消灯させる
ことを特徴とする請求項１記載の加熱調理器。
【請求項３】
前記第１人感センサーは、前記本体の所定の角度だけ上向き方向、かつ、前記本体の手前方向である検出方向を有し、
前記第２人感センサーは、前記本体の手前側に人が存在するか否かを検出し、
前記制御手段は、前記第１人感センサーがその検出方向に人の存在を検出せず、かつ、前記第２人感センサーがその検出方向に人の存在を検出した場合、前記使用者が前記本体の手前側でしゃがんでいる状態であると判定し、前記庫内照明装置を点灯させる
ことを特徴とする請求項１又は請求項２記載の加熱調理器。
【請求項４】
前記制御手段は、前記第１人感センサー及び前記第２人感センサーが、共にその検出方向に人の存在を検出した場合、前記使用者が前記本体の手前側で立っている状態であると判定し、前記庫内照明装置を消灯させる
ことを特徴とする請求項３記載の加熱調理器。
【請求項５】
前記制御手段は、前記第１人感センサー及び前記第２人感センサーが、共にその検出方向に人の存在を検出しない場合、前記使用者が前記本体の手前側にいない状態であると判定し、前記庫内照明装置を消灯させる
ことを特徴とする請求項３又は請求項４記載の加熱調理器。
【請求項６】
加熱調理器の各種設定内容等を表示する表示手段を備え、
前記制御手段は、前記庫内照明装置を点灯させている状態の場合には、前記表示手段の表示を消灯させる
ことを特徴とする請求項１〜請求項５のいずれかに記載の加熱調理器。
【請求項７】
前記制御手段は、前記本体の手前側で前記使用者が立っている状態と判定した場合、前記表示手段の表示を点灯させる
ことを特徴とする請求項６記載の加熱調理器。
【請求項８】
前記制御手段は、前記第１人感センサー及び前記第２人感センサーによる人の存在の有無の検出状態が所定時間持続した場合に、人の存在の有無を検出したものと判断する
ことを特徴とする請求項１〜請求項７のいずれかに記載の加熱調理器。
【請求項９】
前記表示手段は、ＬＥＤ又は液晶パネルである
ことを特徴とする請求項６又は請求項７記載の加熱調理器。
【請求項１０】
前記第１人感センサーは、前記本体の上面の手前側に設置され、
前記第２人感センサーは、前記本体の前面に設置された
ことを特徴とする請求項１〜請求項９のいずれかに記載の加熱調理器。
【発明の詳細な説明】
【技術分野】
【０００１】
本発明は、人感センサーによって使用者の有無を検出して照明装置の点灯制御を実施する加熱調理器に関する。
【背景技術】
【０００２】
従来の調理器具として、レンジフードに人感センサーを備え、調理器具の前の人の存在を検出することによって、レンジフードに設けられた照明を点灯制御し、消費電力を低減させるというものがある（例えば、特許文献１参照）。
【先行技術文献】
【特許文献】
【０００３】
【特許文献１】特開平９−３１８１２５号公報（第３−４頁、図１−２）
【発明の概要】
【発明が解決しようとする課題】
【０００４】
しかしながら、レンジフードに設けられた照明は使用者の上方に位置するため、調理器具のグリル庫内には、その照明の光線が届かず、使用者はグリル庫内の様子を確認することができない。このとき、グリル庫内に別の照明を取り付け、レンジフードに設けられた人感センサーによって人の存在が検出されたときに、レンジフードの照明と共に、グリル庫内の照明を点灯させた場合、グリルを使用していない間もグリル庫内の照明が点灯するため、消費電力が無駄となる問題点がある。
【０００５】
また、人感センサーによる人の検出によるものではなく、調理器具に設けられたグリル照明用スイッチを押下している間のみグリル庫内の照明を点灯させるものとした場合、調理器具におけるグリル部は使用者の腰付近の位置にあるため、使用者はグリル庫内の様子を確認するためには、しゃがみ込みながら、グリル照明用スイッチを押下する必要があるため作業負荷が大きいという問題点がある。
【０００６】
さらに、上記のグリル照明用スイッチを押下している間のみグリル庫内の照明を点灯させるという動作ではなく、その押下後、一定時間だけグリル庫内の照明を点灯させるという動作とした場合、使用者がグリル庫内を確認し終わった後も、しばらくグリル庫内の照明が点灯している場合があり、消費電力の無駄となる問題点がある。
【０００７】
本発明は、上記のような課題を解決するためになされたものであり、第１の目的は、使用者がしゃがみ込んでいる状態を検出した場合にグリル庫内の照明を自動的に点灯させることができる加熱調理器を提供することを目的とする。
第２の目的は、使用者が立った状態を検出した場合にグリル庫内の照明を自動的に消灯させることができる加熱調理器を提供することを目的とする。
【課題を解決するための手段】
【０００８】
本発明に係る加熱調理器は、本体と、該本体の内部において調理物の加熱調理が実施されるグリル部と、該グリル部内に設置された庫内照明装置と、加熱調理器全体の制御を実施する制御手段と、検出方向における人の存在の有無を検出し、その検出情報を前記制御手段に送信する第１人感センサー及び第２人感センサーと、を備え、前記制御手段は、
前記第１人感センサー及び第２人感センサーから受信した前記検出情報に基づいて、使用者が前記本体の手前側でしゃがんでいる状態か否かを判定し、該使用者が前記本体の手前側でしゃがんでいる状態であると判定した場合、前記庫内照明装置を点灯させることを特徴とする。
【発明の効果】
【０００９】
本発明によれば、２つの人感センサーによって、グリル庫内の状態を確認する等のためにしゃがみ込んでいる状態が検出された場合には、庫内照明装置が自動的に点灯し、使用者がスイッチ等の操作をせずに、自動的に庫内照明装置が点灯するので、その点灯のためのスイッチ操作等の作業負荷を低減することができる。
【図面の簡単な説明】
【００１０】
【図１】本発明の実施の形態１に係る加熱調理器の外観斜視図である。
【図２】本発明の実施の形態１に係る加熱調理器の横断面、及び、人感センサーの検出範囲を示す図である。
【図３】本発明の実施の形態１に係る加熱調理器の制御ブロック図である。
【図４】本発明の実施の形態１に係る加熱調理器の庫内照明装置がＯＦＦ状態である場合の動作フローを示す図である。
【図５】本発明の実施の形態１に係る加熱調理器の庫内照明装置がＯＮ状態である場合の動作フローを示す図である。
【発明を実施するための形態】
【００１１】
実施の形態１．
（加熱調理器の構成）
図１は、本発明の実施の形態１に係る加熱調理器の外観斜視図であり、図２は、同加熱調理器の横断面、及び、人感センサーの検出範囲を示す図である。
図１及び図２で示される本実施の形態に係る加熱調理器１００において、本体１の上面には、トッププレート２が設置されており、そのトッププレート２上には、鍋等の被加熱物（例えば、図２における鍋４１）を載置するための左加熱口３、右加熱口４及び中央加熱口５が形成されている。また、本体１の前部上面には、各種設定値及び異常情報等を表示する液晶パネル等の液晶表示部６、火力設定内容等をＬＥＤ等で表示する火力表示部７、並びに、火力の設定等の操作を実施する上面操作部８が設置されている。また、本体１の後方の上面には、本体１の後面に設置された吸気口（図示せず）から、グリル庫１２１（後述）に取り込まれた空気、及び、調理物から発生する煙を外部に排出するため排気口９が設置されている。また、本体１の右前面部には、火力を調整するための前面操作部１１が設置されており、その前面操作部１１には、左加熱口３における加熱動作のＯＮ／ＯＦＦ操作及び火力調整操作をするための左加熱口操作スイッチ１１ａ、右加熱口４における加熱動作のＯＮ／ＯＦＦ操作及び火力調整操作をするための右加熱口操作スイッチ１１ｂ、並びに、中央加熱口５における加熱動作のＯＮ／ＯＦＦ操作及び火力調整操作をするための中央加熱口操作スイッチ１１ｃが備えられている。
なお、液晶表示部６及び火力表示部７は、本発明における「表示手段」に相当する。
【００１２】
本体１の左下側内部にグリル部１２が設置されている。このグリル部１２は、少なくとも、このグリル部１２の内部に通じ、本体１の前面部の左側に開閉可能に設置されたグリル扉１２０、そのグリル扉１２０から通じるグリル部１２の内部の調理空間であるグリル庫１２１、そのグリル庫１２１の底部に載置された載置皿１２２、その載置皿１２２の上に置かれ、上側に魚等の調理物２１を載置するための載置網１２３、グリル庫１２１内の上壁面に設置された庫内照明装置１２４によって構成されている。グリル扉１２０には、グリル庫１２１内の様子を確認するためのグリル窓１２０ａ、及び、このグリル扉１２０を開閉するために使用者が手を掛けるための取っ手１２０ｂが設置されている。
【００１３】
また、グリル庫１２１と排気口９とを連通させ、吸気口（図示せず）から取り込まれた空気を調理物２１から発生する煙と共に、グリル庫１２１から排気口９を介して外部に排気するための排気ダクト９ａが、グリル庫１２１の後方に形成されている。
【００１４】
そして、人体から放射される赤外線を検出する熱起電力型温度センサー等の上人感センサー３１が、トッププレート２上の手前側の略中央部に設置されており、その検出方向軸が水平面から角度θ１だけ上方に向かうように設置されている。また、同様に熱起電力型温度センサー等の下人感センサー３２が、本体１の前面の前面操作部１１の近傍に設置されており、その検出方向軸が水平面と略平行となるように設置されている。
なお、図１で示されるように、下人感センサー３２は、本体１の前面の前面操作部１１の近傍に設置されるものとしているが、これに限定されるものではなく、例えば、グリル部１２のグリル扉１２０に設置されるものとしてもよい。
また、上人感センサー３１は、本発明における「第１人感センサー」に相当し、下人感センサー３２は、本発明の「第２人感センサー」に相当する。
【００１５】
図３は、本発明の実施の形態１に係る加熱調理器の制御ブロック図である。
図３で示されるように、上面操作部８及び前面操作部１１、並びに、上人感センサー３１及び下人感センサー３２が、本体１内部に設置された制御手段１３に接続されている。また、制御手段１３には、ヒーター駆動回路１４、インバーター回路１５、液晶表示部６、火力表示部７及び庫内照明装置１２４がそれぞれ接続されている。
【００１６】
上面操作部８は、使用者によって火力設定等の操作がされた操作情報を制御手段１３に送信し、また、前面操作部１１は、使用者によって火力動作のＯＮ／ＯＦＦ操作及び火力調整操作についての操作情報を制御手段１３に送信する。
【００１７】
上人感センサー３１及び下人感センサー３２は、加熱調理器１００の前に人が存在するか否かを検出し、その検出情報を制御手段１３に送信する。特に、上人感センサー３１は、図２で示されるように、その検出範囲３１ａの検出方向軸が水平面から角度θ１だけ上方に向かって設置されており、加熱調理器１００の前に立つ人が立っている状態であるのか否かを検出することができる。また、下人感センサー３２は、図２で示されるように、その検出範囲３２ａの検出方向軸が水平面と略平行となるように設置されており、加熱調理器の前の人が立っている状態、及び、しゃがみ込んでいる状態のいずれも検出することができ、加熱調理器の前の人の存在自体を検出することができる。このとき、上人感センサー３１及び下人感センサー３２は、人から放射される赤外線の検出量が所定の閾値以上であることを検出した場合、その検出方向に使用者が存在するものとして、Ｈｉ信号を出力する。一方、赤外線の検出量が所定の閾値未満であることを検出した場合、その検出方向に人が存在しないものとして、Ｌｏ信号を出力する。上人感センサー３１及び下人感センサー３２は、このＨｉ信号又はＬｏ信号を検出情報として制御手段１３に送信する。
【００１８】
なお、上記の動作においては、上人感センサー３１及び下人感センサー３２は、その検出方向に人が存在することを検出した場合、Ｈｉ信号を出力し、人が存在しないことを検出した場合、Ｌｏ信号を出力するものとしているが、これに限定されるものではなく、その出力論理が反転する構成としてもよい。
また、上記の構成のように、下人感センサー３２の検出方向を水平面と略平行であるものとしたが、加熱調理器１００の前に存在する使用者が立っている状態、及び、しゃがみ込んでいる状態のいずれも検出することができる範囲であればいずれの方向でもよい。
そして、図１で示されるように、上人感センサー３１は、トッププレート２上の前面側の略中央部に設置され、下人感センサー３２は、本体１の前面の前面操作部１１の近傍に設置されるものとしているが、これに限定されるものではなく、上人感センサー３１においては、加熱調理器１００の前に立つ人が立っている状態であるのか否かを検出でき、下人感センサー３２においては、加熱調理器の前の人が立っている状態、及び、しゃがみ込んでいる状態のいずれも検出することができ、加熱調理器の前の人の存在自体を検出することができれば、加熱調理器１００のいずれの位置に設置されるものとしてもよい。
【００１９】
ヒーター駆動回路１４は、本体１内部に設置され、ヒータ−１４ａに接続されており、制御手段１３から受信した制御信号に基づいてヒーター１４ａに通電させ、載置網１２３の上に置かれた調理物２１を加熱させる。
【００２０】
インバーター回路１５は、本体１内部に設置され、左加熱口３の下部に設置された左加熱コイル１５ａ、右加熱口４の下部に設置された右加熱コイル１５ｂ、及び、中央加熱口５の下部に設置された中央加熱コイル１５ｃに接続されており、制御手段１３から受信した制御信号に基づいて各コイルに通電させ、各加熱口に置かれた鍋４１等を誘導加熱させる。
なお、上記のように３口の加熱口がすべて加熱コイルによる誘導加熱方式によるものに限定するものではなく、例えば、中央加熱コイル１５ｃの代わりに、ニクロム線による放射熱によって加熱するラジエントヒーターを用いる構成としてもよい。
【００２１】
液晶表示部６は、制御手段１３から受信した各種設定値及び異常情報等の表示情報を表示し、火力表示部７は、左加熱コイル１５ａ、右加熱コイル１５ｂ及び中央加熱コイル１５ｃの火力設定の内容、又は、グリル庫１２１内に設置されたヒーター１４ａの火力設定等の内容等の情報を制御手段１３から受信して表示する。
なお、火力表示部７は、ヒーター１４ａの火力設定の内容等の情報に代えて、あるいは、それに追加して現在の火力出力値を表示するものとしてもよい。
また、火力表示部７は、左加熱コイル１５ａ、右加熱コイル１５ｂ及び中央加熱コイル１５ｃの火力設定内容又は現在の火力出力値を、上記の表示内容に代えて、あるいは、それに追加して表示させるものとしてもよい。
【００２２】
庫内照明装置１２４は、グリル庫１２１内の上壁面に設置され、制御手段１３から受信した点灯指令に基づいて点灯し、グリル庫１２１内を照射する。このとき、使用者は、グリル扉１２０に設置されたグリル窓１２０ａをのぞき込むことによって、グリル庫１２１内の状態を確認することができる。また、庫内照明装置１２４は、上人感センサー３１の検出範囲３１ａにおいて検出される人の有無、及び、下人感センサー３２の検出範囲３２ａにおいて検出される人の有無に基づいて、点灯／消灯動作を実施する。この庫内照明装置１２４の点灯／消灯動作については後述する。
【００２３】
（加熱調理器の誘導加熱動作）
次に、図１〜図３を参照しながら、本実施の形態に係る加熱調理器の誘導加熱動作について説明する。
使用者は、調理物等が投入された鍋４１等の被加熱物を左加熱口３に載置する。そして、使用者により前面操作部１１の左加熱口操作スイッチ１１ａにおいて加熱開始操作が実施されることによって、その操作情報が前面操作部１１から制御手段１３に送信される。制御手段１３は、受信した操作情報に基づいて、インバーター回路１５に制御信号（加熱指令）を送信する。インバーター回路１５は、受信した制御信号に基づいて、左加熱コイル１５ａを通電させ、左加熱口３に載置された被加熱物は、左加熱コイル１５ａから誘導加熱を受けて、加熱が開始される。この場合、制御手段１３は、前面操作部１１から受信した火力設定についての操作情報に基づいて、火力表示部７に火力設定情報を送信し、火力表示部７は、受信した火力設定情報を表示させる。また、被加熱物が右加熱口４又は中央加熱口５に載置された場合も、同様に、インバーター回路１５によって右加熱コイル１５ｂ又は中央加熱コイル１５ｃに通電され、被加熱物が誘導加熱される。
【００２４】
なお、本体１内部に、各加熱コイルの現在の火力出力を検出する手段を備えるものとし、制御手段１３は、その検出手段によって検出された現在の火力出力値を、火力表示部７に表示させるものとしてもよい。
【００２５】
（加熱調理器のグリル部における加熱動作）
次に、図１〜図３を参照しながら、本実施の形態に係る加熱調理器のグリル部１２における加熱動作について説明する。
使用者は、グリル部１２のグリル庫１２１内に載置された載置網１２３の上に魚等の調理物２１を載置する。そして、使用者により上面操作部８においてグリル部１２の加熱開始操作が実施されることによって、その操作情報が制御手段１３に送信される。制御手段１３は、受信した操作情報に基づいて、ヒーター駆動回路１４に制御信号（加熱指令）を送信する。ヒーター駆動回路１４は、受信した制御信号に基づいて、ヒーター１４ａを通電させ、そのヒーター１４ａによって載置網１２３に載置された調理物２１を加熱させる。このとき、ヒーター１４ａによる火力の強弱を上面操作部８によって設定できるものとしてもよい。この場合、制御手段１３は、上面操作部８から受信した火力設定についての操作情報に基づいて、火力表示部７に火力設定情報を送信し、火力表示部７は、受信した火力設定情報を表示させる。
【００２６】
なお、本体１内部に、ヒーター１４ａの現在の火力出力を検出する手段を備えるものとし、制御手段１３は、その検出手段によって検出された現在の火力出力値を、火力表示部７に表示させるものとしてもよい。
【００２７】
（加熱調理器のグリル庫内の庫内照明装置の点灯動作）
図４は、本発明の実施の形態１に係る加熱調理器の庫内照明装置がＯＦＦ状態である場合の動作フローを示す図であり、図５は、同加熱調理器の庫内照明装置がＯＮ状態である場合の動作フローを示す図である。以下、図２〜図５を参照しながら、グリル庫１２１内の庫内照明装置１２４の点灯／消灯動作を中心に説明する。
【００２８】
まず、図２〜図４を参照しながら、グリル庫１２１内の庫内照明装置１２４が消灯している状態から庫内照明装置１２４が点灯する動作を中心に説明する。
【００２９】
（Ｓ１）
上人感センサー３１及び下人感センサー３２は、それぞれの検出方向の人の有無を検出し、その検出情報を制御手段１３に送信する。制御手段１３は、上人感センサー３１から受信した検出情報（以下、「上検出情報」という）が所定時間Ｌｏ信号の出力状態であり、かつ、下人感センサー３２から受信した検出情報（以下、「下検出情報」という）も所定時間Ｌｏ信号の出力状態であると判定した場合、ステップＳ２へ進む。また、制御手段１３は、上検出情報が所定時間Ｌｏ信号の出力状態であり、かつ、下検出情報が所定時間Ｈｉ信号の出力状態であると判定した場合、ステップＳ４へ進む。また、制御手段１３は、上検出情報が所定時間Ｈｉ信号の出力状態であり、かつ、下検出情報が所定時間Ｌｏ信号の出力状態であると判定した場合、ステップＳ６へ進む。さらに、制御手段１３は、上検出情報が所定時間Ｈｉ信号の出力状態であり、かつ、下検出情報も所定時間Ｈｉ信号の出力状態であると判定した場合、ステップＳ７へ進む。
【００３０】
（Ｓ２）
制御手段１３は、上検出情報が所定時間Ｌｏ信号の出力状態であり、かつ、下検出情報も所定時間Ｌｏ信号の出力状態であると判定した場合、加熱調理器１００の前に人が存在しない、すなわち、使用者が加熱調理器１００から離れたと判定し、ステップＳ３へ進む。
【００３１】
（Ｓ３）
制御手段１３は、液晶表示部６における液晶表示、及び、火力表示部７におけるＬＥＤ等を消灯させる。これによって、使用者が加熱調理器１００を離れている状態によって各表示部を見ることがない場合に、各表示を消灯させることができ、消費電力を削減することができる。
【００３２】
（Ｓ４）
制御手段１３は、上検出情報が所定時間Ｌｏ信号の出力状態であり、かつ、下検出情報が所定時間Ｈｉ信号の出力状態であると判定した場合、使用者がしゃがみ込んだ状態でグリル庫１２１内をグリル窓１２０ａを介してのぞき込んでいるものと判定し、ステップＳ５へ進む。
【００３３】
（Ｓ５）
制御手段１３は、グリル庫１２１内の庫内照明装置１２４を点灯させ、一方、液晶表示部６における液晶表示、及び、火力表示部７におけるＬＥＤ等を消灯させる。これによって、使用者がスイッチ等の操作をせずに、自動的に庫内照明装置１２４が点灯するので、使用者はグリル窓１２０ａを介してグリル庫１２１内の状態を確認することができ、その点灯のためのスイッチ操作等の作業負荷を低減することができる。また、使用者がしゃがみ込んでいる状態によって各表示部を見ることがない場合に、各表示を消灯させることができ、消費電力を削減することができる。
【００３４】
なお、上記の動作のように、使用者がしゃがみ込んだ状態に液晶表示部６における液晶表示、及び、火力表示部７におけるＬＥＤ等を消灯させる動作としたが、これに限定されるものではなく、使用者がしゃがみ込みながら、火力表示部７等に表示されているグリル庫１２１内のヒーター１４ａの火力設定等を確認したい場合等、各表示部を消灯させる必要がないとする場合は、消灯させる動作ではなくてもよい。
【００３５】
（Ｓ６）
制御手段１３は、上検出情報が所定時間Ｈｉ信号の出力状態であり、かつ、下検出情報が所定時間Ｌｏ信号の出力状態であると判定した場合、ありえない検出情報の組み合わせであり、上人感センサー３１又は下人感センサー３２のいずれかが異常であると判定する。この場合、制御手段１３は、液晶表示部６に上人感センサー３１又は下人感センサー３２のいずれか異常である旨を表示させる。これによって、上人感センサー３１及び下人感センサー３２の論理出力の組み合わせのみに基づいて、各センサーの異常を検知することができる。
なお、本実施の形態に係る加熱調理器１００は、その本体１に報知手段（図示せず）を備えるものとし、制御手段１３は、上記異常が発生した場合は、液晶表示部６にその旨を表示させるのに加え、あるいは、それに代えて、異常の旨を報知させるものとしてもよい。
【００３６】
（Ｓ７）
制御手段１３は、上検出情報が所定時間Ｈｉ信号の出力状態であり、かつ、下検出情報も所定時間Ｈｉ信号の出力状態であると判定した場合、使用者が調理中等により加熱調理器１００の前に立っているものと判定し、ステップＳ８へ進む。
【００３７】
（Ｓ８）
制御手段１３は、グリル庫１２１内の庫内照明装置１２４に消灯状態を継続させ、一方、液晶表示部６における液晶表示、及び、火力表示部７におけるＬＥＤ等を点灯させる。これによって、使用者がしゃがみ込んでいる状態によってグリル庫１２１内の状態を確認することがない場合に、庫内照明装置１２４を消灯させておくことができ、消費電力を削減することができる。
【００３８】
次に、図２、図３及び図５を参照しながら、使用者がしゃがみ込んでグリル庫１２１内の状態を確認している場合におけるグリル庫１２１内の庫内照明装置１２４が点灯している状態から、庫内照明装置１２４が消灯する動作を中心に説明する。
【００３９】
（Ｓ２１）
上人感センサー３１及び下人感センサー３２は、それぞれの検出方向の人の有無を検出し、その検出情報を制御手段１３に送信する。制御手段１３は、上検出情報が所定時間Ｌｏ信号の出力状態であり、かつ、下検出情報も所定時間Ｌｏ信号の出力状態であると判定した場合、ステップＳ２２へ進む。また、制御手段１３は、上検出情報が所定時間Ｌｏ信号の出力状態であり、かつ、下検出情報が所定時間Ｈｉ信号の出力状態であると判定した場合、ステップＳ２４へ進む。また、制御手段１３は、上検出情報が所定時間Ｈｉ信号の出力状態であり、かつ、下検出情報が所定時間Ｌｏ信号の出力状態であると判定した場合、ステップＳ２５へ進む。さらに、制御手段１３は、上検出情報が所定時間Ｈｉ信号の出力状態であり、かつ、下検出情報も所定時間Ｈｉ信号の出力状態であると判定した場合、ステップＳ２６へ進む。
【００４０】
（Ｓ２２）
制御手段１３は、上検出情報が所定時間Ｌｏ信号の出力状態であり、かつ、下検出情報も所定時間Ｌｏ信号の出力状態であると判定した場合、加熱調理器１００の前に人が存在しない、すなわち、使用者が加熱調理器１００から離れたと判定し、ステップＳ２３へ進む。
【００４１】
（Ｓ２３）
制御手段１３は、グリル庫１２１内の庫内照明装置１２４に消灯させ、一方、液晶表示部６における液晶表示、及び、火力表示部７におけるＬＥＤ等の消灯状態を継続させる。これによって、使用者が加熱調理器１００を離れている状態によってグリル庫１２１内の状態を確認することがない場合に、庫内照明装置１２４を消灯させることができ、消費電力を削減することができる。
【００４２】
（Ｓ２４）
制御手段１３は、上検出情報が所定時間Ｌｏ信号の出力状態であり、かつ、下検出情報が所定時間Ｈｉ信号の出力状態であると判定した場合、使用者がしゃがみ込んだ状態を継続してグリル庫１２１内をグリル窓１２０ａを介してのぞき込んでいるものと判定し、グリル庫１２１内の庫内照明装置１２４に点灯状態を継続させる。
【００４３】
（Ｓ２５）
制御手段１３は、上検出情報が所定時間Ｈｉ信号の出力状態であり、かつ、下検出情報が所定時間Ｌｏ信号の出力状態であると判定した場合、ありえない検出情報の組み合わせであり、上人感センサー３１又は下人感センサー３２のいずれかが異常であると判定する。この場合、ステップＳ６と同様に、制御手段１３は、液晶表示部６に上人感センサー３１又は下人感センサー３２のいずれか異常である旨を表示させる。
なお、本実施の形態に係る加熱調理器１００は、その本体１に報知手段（図示せず）を備えるものとし、制御手段１３は、上記異常が発生した場合は、液晶表示部６にその旨を表示させるのに加え、あるいは、それに代えて、異常の旨を報知させるものとしてもよい。
【００４４】
（Ｓ２６）
制御手段１３は、上検出情報が所定時間Ｈｉ信号の出力状態であり、かつ、下検出情報も所定時間Ｈｉ信号の出力状態であると判定した場合、使用者がしゃがみ込んでグリル庫１２１内の状態を確認している状態から、立ち上がったものと判定し、ステップＳ２７へ進む。
【００４５】
（Ｓ２７）
制御手段１３は、グリル庫１２１内の庫内照明装置１２４を消灯させ、一方、液晶表示部６における液晶表示、及び、火力表示部７におけるＬＥＤ等を点灯させる。これによって、使用者がスイッチ等の操作をせずに、立ち上がると自動的に庫内照明装置１２４が消灯するので、その消灯のためのスイッチ操作等の作業負荷を低減することができると共に、使用者が立ち上がっている状態における庫内照明装置１２４の点灯状態を回避することができ消費電力を削減することができる。
【００４６】
（実施の形態１の効果）
上記の構成及び動作のように、上人感センサー３１及び下人感センサー３２によって、グリル庫１２１内の状態を確認する等のためにしゃがみ込んでいる状態が検出された場合には、庫内照明装置１２４が自動的に点灯し、また、使用者がしゃがみ込んだ状態から立ち上がった状態が検出された場合、又は、使用者がいないことが検出された場合には、庫内照明装置１２４が自動的に消灯することによって、使用者がスイッチ等の操作をせずに、自動的に庫内照明装置１２４が点灯及び消灯するので、その点灯及び消灯のためのスイッチ操作等の作業負荷を低減することができ、使用者が立ち上がっている状態又は使用者がいない状態における庫内照明装置１２４の点灯状態を回避することができ消費電力を削減することができる。
【００４７】
また、上人感センサー３１及び下人感センサー３２によって、グリル庫１２１内の状態を確認する等のためにしゃがみ込んでいる状態が検出された場合、又は、使用者がいないことが検出された場合には、液晶表示部６における液晶表示、及び、火力表示部７におけるＬＥＤ等が自動的に消灯し、また、使用者が加熱調理器１００の前に立っていることが検出された場合には、液晶表示部６における液晶表示、及び、火力表示部７におけるＬＥＤ等が自動的に点灯するので、使用者がスイッチ等の操作をせずに、自動的に液晶表示部６における液晶表示、及び、火力表示部７におけるＬＥＤ等が点灯及び消灯するので、その点灯及び消灯のためのスイッチ操作等の作業負荷を低減することができ、使用者がしゃがみ込んでいる状態又は使用者がいない状態における液晶表示部６における液晶表示、及び、火力表示部７におけるＬＥＤ等の点灯状態を回避することができ消費電力を削減することができる。
【００４８】
なお、上記の動作においては、グリル庫１２１内の庫内照明装置１２４は、上人感センサー３１及び下人感センサー３２の検出情報に基づいて、自動的に点灯及び消灯するものとしたが、これに加えて、上面操作部８等に庫内照明装置１２４の点灯及び消灯を操作するためのスイッチを設け、手動でその点灯及び消灯の操作が実施できるものとしてもよい。
【００４９】
また、本実施の形態に係る加熱調理器は、左加熱口３等において左加熱コイル１５ａ等による誘導加熱を実施する誘導加熱調理器について説明したが、これは加熱調理器としての例を示したものであり、誘導加熱調理器ではなく、例えば、ガスの燃焼によって加熱するガス加熱調理器等であってもよい。
【符号の説明】
【００５０】
１  本体、２  トッププレート、３  左加熱口、４  右加熱口、５  中央加熱口、６  液晶表示部、７  火力表示部、８  上面操作部、９  排気口、９ａ  排気ダクト、１１  前面操作部、１１ａ  左加熱口操作スイッチ、１１ｂ  右加熱口操作スイッチ、１１ｃ  中央加熱口操作スイッチ、１２  グリル部、１３  制御手段、１４  ヒーター駆動回路、１４ａ  ヒーター、１５  インバーター回路、１５ａ  左加熱コイル、１５ｂ  右加熱コイル、１５ｃ  中央加熱コイル、２１  調理物、３１  上人感センサー、３１ａ  検出範囲、３２  下人感センサー、３２ａ  検出範囲、４１  鍋、１００  加熱調理器、１２０  グリル扉、１２０ａ  グリル窓、１２０ｂ  取っ手、１２１  グリル庫、１２２  載置皿、１２３  載置網、１２４  庫内照明装置。
【図１】
2011196641.tif 000003
【図２】
2011196641.tif 000004
【図３】
2011196641.tif 000005
【図４】
2011196641.tif 000006
【図５】
2011196641.tif 000007